(57)【要約】【課題】  構図補助線を参照しつつ、安定した撮影を可能にする。【解決手段】  カメラ本体背面の液晶モニタ（２３２）は、構図撮影モードにおいて撮像素子（１０５）による撮像画像に構図補助線を重畳して表示する。好ましい構図の状態での撮影者による構図確定の指示、例えば、シャッタ釦の半押しに応じて、メイン制御部（１０２）は、撮像画像の中央部分を確定構図参照用画像としてメモリ（１１４）に記憶する。撮影者が光学ファインダを見ている状態で、撮像素子（１０５）による撮像画像を確定構図参照用画像と比較し、一致する場合に，光学ファインダ内の表示装置（１２０）で一致を撮影者に通知する。【選択図】  図１
2013162364.tif 000002
【特許請求の範囲】
【請求項１】
撮像手段と、
接眼窓内に通知手段を有するビューファインダと、
表示手段と、
前記表示手段に前記撮像手段で撮像されている画像を表示している状態で、撮影者からの構図確定の指示を受け付ける手段と、
前記構図確定の指示を受け付けた際に前記撮像手段で撮像されていた画像から取得した確定構図情報を一時記憶する記憶手段と、
前記撮像手段で撮像されている画像と前記確定構図情報との比較を行い、比較の結果に応じた通知を前記通知手段で撮影者に通知する制御手段
とを有することを特徴とする撮像装置。
【請求項２】
更に、前記表示手段で前記撮像されている画像に重畳して表示する構図補助情報を選択する手段を具備することを特徴とする請求項１に記載の撮像装置。
【請求項３】
前記通知手段は前記ビューファインダを前記撮影者が覗いた際に視認可能な表示手段であることを特徴とする請求項１又は２に記載の撮像装置。
【請求項４】
前記確定構図情報は、前記撮像手段で撮像されていた画像のサイズを縮小した画像であることを特徴とする請求項１ないし３の何れか１項に記載の撮像装置。
【請求項５】
前記ビューファインダが光学ファインダであることを特徴とする請求項１ないし４の何れか１項に記載の撮像装置。
【請求項６】
撮像手段と、
前記撮像手段で撮像される画像と構図補助情報を重畳して表示する画像表示手段と、
前記画像表示手段に前記撮像手段で撮像されている画像を表示している状態で、撮影者からの構図確定の指示を受け付ける手段と、
前記構図確定の指示を受け付けた際に前記撮像手段で撮像されていた画像の一部を確定構図参照用画像として一時記憶する記憶手段と、
前記撮像手段で撮像されている画像と前記確定構図参照用画像との比較を行い、前記撮像手段で撮像されている画像の構図が前記確定構図参照用画像のそれと一致する場合に、前記撮像手段で撮像されている画像を記録し、前記撮像手段で撮像されている画像の構図が前記確定構図参照用画像のそれと一致しないが、前記確定構図参照用画像を含む場合に、前記撮像手段で撮像されている画像の、前記確定構図参照用画像に相当する部分をトリミングして記録する記録手段
とを有することを特徴とする撮像装置。
【請求項７】
撮像手段と、
接眼窓内に通知手段を有するビューファインダと、
表示手段
とを有する撮像装置の制御方法であって、
前記表示手段に前記撮像手段で撮像されている画像を表示するステップと、
撮影者からの構図確定の指示を受け付けるステップと、
前記構図確定の指示を受け付けた際に前記撮像手段で撮像されていた画像から取得した確定構図情報を記憶するステップと、
前記撮像手段で撮像されている画像と前記確定構図情報との比較を行うステップと、
前記比較の結果に応じた通知を前記通知手段で撮影者に通知するステップ
とを有することを特徴とする撮像装置の制御方法。
【請求項８】
画像表示手段に撮像手段で撮像されている画像を表示するステップと、
前記撮像手段で撮像されている画像を重畳して構図補助情報を前記画像表示手段に表示するステップと、
撮影者からの構図確定の指示を受け付けるステップと、
前記構図確定の指示を受け付けた際に前記撮像手段で撮像されていた画像の少なくとも一部を確定構図参照用画像として記憶するステップと、
前記撮像手段で撮像されている画像と前記確定構図参照用画像との比較を行うステップと、
前記比較により、前記撮像手段で撮像されている画像の構図が前記確定構図参照用画像のそれと一致する場合に、前記撮像手段で撮像されている画像を記録し、前記撮像手段で撮像されている画像の構図が前記確定構図参照用画像のそれと一致しないが、前記確定構図参照用画像を含む場合に、前記撮像手段で撮像されている画像の、前記確定構図参照用画像に相当する部分をトリミングして記録するステップ
とを有することを特徴とする撮像装置の制御方法。
【請求項９】
撮像手段と、
接眼窓内に通知手段を有するビューファインダと、
表示手段と、
全体を制御する制御手段
とを有する撮像装置において、前記制御手段に、
前記画像表示手段に前記撮像手段で撮像されている画像を表示させる機能と、
撮影者からの構図確定の指示を受け付ける機能と、
前記構図確定の指示を受け付けた際に前記撮像手段で撮像されていた画像から取得した確定構図情報を記憶させる機能と、
前記撮像手段で撮像されている画像と前記確定構図情報との比較を行う機能と、
前記比較の結果に応じた通知を前記通知手段で撮影者に通知させる機能
とを実現させることを特徴とする撮像装置の制御プログラム。
【請求項１０】
撮像手段と、
前記撮像手段で撮像される画像と構図補助情報を重畳して表示できる画像表示手段と、
全体を制御する制御手段
とを有する撮像装置において、前記制御手段に、
前記画像表示手段に撮像手段で撮像されている画像を表示させる機能と、
前記撮像手段で撮像されている画像を重畳して構図補助情報を前記画像表示手段に表示させる機能と、
撮影者からの構図確定の指示を受け付ける機能と、
前記構図確定の指示を受け付けた際に前記撮像手段で撮像されていた画像の少なくとも一部を確定構図参照用画像として記憶させる機能と、
前記撮像手段で撮像されている画像と前記確定構図参照用画像との比較を行う機能と、
前記比較により、前記撮像手段で撮像されている画像の構図が前記確定構図参照用画像のそれと一致する場合に、前記撮像手段で撮像されている画像を記録させ、前記撮像手段で撮像されている画像の構図が前記確定構図参照用画像のそれと一致しないが、前記確定構図参照用画像を含む場合に、前記撮像手段で撮像されている画像の、前記確定構図参照用画像に相当する部分をトリミングして記録させる機能
とを実現させることを特徴とする撮像装置の制御プログラム。
【請求項１１】
撮像手段と、
接眼窓内に通知手段を有するビューファインダと、
表示手段と、
全体を制御する制御手段
とを有する撮像装置の制御プログラムを記録する記録媒体であって、前記制御プログラムは、前記制御手段に、
前記画像表示手段に前記撮像手段で撮像されている画像を表示させる機能と、
撮影者からの構図確定の指示を受け付ける機能と、
前記構図確定の指示を受け付けた際に前記撮像手段で撮像されていた画像から取得した確定構図情報を記憶させる機能と、
前記撮像手段で撮像されている画像と前記確定構図情報との比較を行う機能と、
前記比較の結果に応じた通知を前記通知手段で撮影者に通知させる機能
とを実現させることを特徴とする記録媒体。
【請求項１２】
撮像手段と、
前記撮像手段で撮像される画像と構図補助情報を重畳して表示できる画像表示手段と、
全体を制御する制御手段
とを有する撮像装置の制御プログラムを記録する記録媒体であって、前記制御プログラムは、前記制御手段に、
前記画像表示手段に撮像手段で撮像されている画像を表示させる機能と、
前記撮像手段で撮像されている画像を重畳して構図補助情報を前記画像表示手段に表示させる機能と、
撮影者からの構図確定の指示を受け付ける機能と、
前記構図確定の指示を受け付けた際に前記撮像手段で撮像されていた画像の少なくとも一部を確定構図参照用画像として記憶させる機能と、
前記撮像手段で撮像されている画像と前記確定構図参照用画像との比較を行う機能と、
前記比較により、前記撮像手段で撮像されている画像の構図が前記確定構図参照用画像のそれと一致する場合に、前記撮像手段で撮像されている画像を記録させ、前記撮像手段で撮像されている画像の構図が前記確定構図参照用画像のそれと一致しないが、前記確定構図参照用画像を含む場合に、前記撮像手段で撮像されている画像の、前記確定構図参照用画像に相当する部分をトリミングして記録させる機能
とを有することを特徴とする撮像装置の記録媒体。
【発明の詳細な説明】
【技術分野】
【０００１】
本発明は、撮像装置、その制御方法及びプログラム並びに記録媒体に関する。
【背景技術】
【０００２】
カメラ撮影の初心者にとって、好適な構図で撮影を行うのは難しい。好適な構図を判断し、撮影者に視覚的にわかりやすく構図を表示する機能が望まれている。一眼レフカメラの光学ファインダの場合には、このような視覚的にわかりやすい構図情報を光学ファインダ内に重畳表示ができない。
【０００３】
昨今のデジタルカメラは、カメラ本体から離れて見ても十分に撮像対象画像を視認できる大画面の液晶表示装置を具備する。そのような液晶表示装置の画面には、撮影補助のための構図情報を撮像対象画像に重畳して表示できる。
【０００４】
特許文献１には、具体的な構図情報を液晶画面に重畳表示する撮像装置が愧死されている。例えば、図２０（ａ）に示すような景色を撮影しようとしているとする。この時、特許文献１に記載の技術では、撮影補助のために図２０（ｂ）に示すような、パースペクティブを強調する構図補助線２００２，２００４を液晶画面上に表示する。図２０（ｃ）は、構図線２００２，２００４に合うように撮影者がカメラ本体の向きを変更した後の撮影構図を示す。この様に、液晶画面に構図情報を表示することで、撮影者は、表示された構図情報に従って、好適な構図の写真を撮影できる。
【先行技術文献】
【特許文献】
【０００５】
【特許文献１】特開２００３−３３８９５５号公報
【発明の概要】
【発明が解決しようとする課題】
【０００６】
カメラ本体の背面に比較的大画面の液晶表示装置と、密着式に構図を確認する光学ファインダ（電子ビューファインダの場合もありうる）が設置されるカメラでは、撮影の際の構図確認に２つの持ち方がある。図２１（ａ）は、カメラ背面に設置される液晶表示装置の画面を見ながら撮影している持ち方を示し、図２１（ｂ）は、通常、雲台に設置される光学ファインダを撮影者が覗き込みながら撮影する持ち方を示す。
【０００７】
図２１（ａ）に示すように、光学ファインダを覗かずに液晶画面を覗きながら撮影する場合、前述の通り、光学ファインダを覗いて撮影する場合に比べて、手ブレが発生しやすい。
【０００８】
図２１（ｂ）に示す持ち方では、両手と光学ファインダを覗いたときの接点の三点でカメラ本体が固定されるので、安定感が増し、手ぶれなどを起こしにくい。ただし、撮影者は、カメラ本体背面の液晶画面に表示する構図情報を参照できない。構図情報を参照したい場合、撮影者は、液晶画面で構図情報を確認した後に、光学ファインダを覗いて撮影することになる。この時、液晶画面で確定した構図に対して、光学ファインダを覗いて撮影した結果とで、撮影範囲にずれが発生することがある。
【０００９】
本発明は、このような不都合を解消した撮像装置、その制御方法及びプログラム並びに記録媒体を提示することを目的とする。
【課題を解決するための手段】
【００１０】
本発明に係る撮像装置は、撮像手段と、接眼窓内に通知手段を有するビューファインダと、表示手段と、前記表示手段に前記撮像手段で撮像されている画像を表示している状態で、撮影者からの構図確定の指示を受け付ける手段と、前記構図確定の指示を受け付けた際に前記撮像手段で撮像されていた画像から取得した確定構図情報を一時記憶する記憶手段と、前記撮像手段で撮像されている画像と前記確定構図情報との比較を行い、比較の結果に応じた通知を前記通知手段で撮影者に通知する制御手段とを有することを特徴とする。
【発明の効果】
【００１１】
本発明によれば、画像表示手段の画面を見ながら構図を確定した後に、ビューファインダを見ながらでも、先に確定した構図と同様の構図で撮影を行える。
【図面の簡単な説明】
【００１２】
【図１】本発明の一実施例の概略構成ブロック図
【図２】本実施例の正面側から見た外観斜視図を示す。
【図３】本実施例の背面図を示す。
【図４】本実施例の光学系の縦断面図である。
【図５】本実施例の構図撮影モードの動作フローチャートを示す。
【図６】撮影例としての風景例である。
【図７】構図補助情報を選択する画面例である。
【図８】構図確定時の液晶モニタの表示画像例である。
【図９】確定構図参照用画像と対比する撮像画像例である。
【図１０】ファインダ接眼窓内の情報表示例である。
【図１１】ファインダ接眼窓内の情報と被写体の表示例である。
【図１２】撮像画像のクリッピング範囲の説明例である。
【図１３】クリッピング画像と確定構図参照用画像の差分計算の説明図である。
【図１４】構図のずれ方向を表示するファインダ接眼窓内の表示例である。
【図１５】構図一致を表示するファインダ接眼窓内の表示例である。
【図１６】構図撮影モードの別の動作フローチャートを示す。
【図１７】図１６の説明例となる被写体である。
【図１８】現時点の構図での画像と確定構図参照用画像とのずれ量計算の説明例である。
【図１９】撮像画像から確定構図参照用画像の一部が外れる場合の構図例である。
【図２０】構図補助線の例である。
【図２１】撮影時の撮影者の姿勢例である。
【発明を実施するための形態】
【００１３】
以下、図面を参照して、本発明の実施例を詳細に説明する。
【実施例１】
【００１４】
図１は、本発明に係る撮像装置の一実施例であるデジタル一眼レフカメラの概略構成ブロック図を示す。図２は、本実施例の正面側から見た外観斜視図を示し、図３は、背面図を示す。尚、図２は、撮影レンズを外した状態を図示する。
【００１５】
図２及び図３を参照して、本実施例の外観構成を説明する。２００はカメラ本体であり、撮影時に使用者がカメラ本体２００を安定して握り易いように前方に突出したグリップ部２０２が設けられている。カメラ本体２００の前面側にはレンズマウント２０４があり、着脱可能な撮影レンズユニットをカメラ本体２００に固定できる。マウント接点２０６は、カメラ本体２００と撮影レンズユニットとの間で制御信号、状態信号及びデータ信号等を伝送するとともに、撮影レンズユニット側に電力を供給する機能を有する。２０８は撮影レンズユニットを取り外す際に押し込むレンズロック解除釦である。
【００１６】
２１０はカメラ本体２００内に配置されたミラーボックスであり、撮影レンズユニットを通過した被写体からの光束が入射する。２１２は入射光束の一部を透過し、残りを反射するハーフミラーからなるメインミラーである。
【００１７】
グリップ部２０２に対して反対側の側面には、開閉可能な外部端子蓋２１４が設けられている。この外部端子蓋２１４を開けた内部には、外部インタフェースとしてビデオ信号出力用ジャックとＵＳＢ出力用コネクタとが納められている。
【００１８】
カメラ本体２００上部のグリップ部２０２側には、撮影開始の起動スイッチとしてのシャッタ釦２１６と、撮影時の動作モードに応じてシャッタスピード及びレンズ絞り値を設定するメイン電子ダイヤル２１８が配置されている。
【００１９】
カメラ本体２００の上部中央には、カメラ本体２００に対してポップアップするストロボユニット２２０と、フラッシュ取付け用のアクセサリシュー２２２がある。カメラ本体２００の上部右よりには撮影モードダイヤル２２４が配置されている。２２６は、ＩＳＯ感度を設定するためのＩＳＯ感度設定釦である。
【００２０】
図３に示すように、カメラ本体２００の上部に、カメラを起動及び停止するための電源スイッチ２２８が配置される。カメラ本体２００の背面側には、ファインダ接眼窓２３０と、表示手段としての液晶モニタ２３２が設けられている。２３４は、ファインダ接眼窓２３０の視度調整を行うための視度調整つまみである。２３６は、撮影者がファインダ接眼窓２３０を覗いた場合に、液晶モニタ２３２の表示を非表示にするためのディスプレイオフセンサである。
【００２１】
カメラ本体２００の背面側に種々の設定釦２３８，２４０，２４２，２４４，２４６，２４８，２５０，２５２，２５４が配置される。２３８は露出補正設定釦である。２４０は、ライブビューの開始／終了を指示するライブビュー釦である。２４２は、十字キー／セット釦である。２４４は、撮影画像の消去等を指示する消去釦である。２４６は、撮影画像の再生等を指示する再生釦である。２４８は、メニュー画面の呼び出し等を指示するメニュー釦である。２５０は、液晶モニタ２３２の表示／非表示の切り替え等を指示するＤＩＳＰ釦である。２５２は測距点選択釦、２５４はＡＥロック釦である。
【００２２】
図１を参照して、本実施例の構成を説明する。１０２は、各部に対して制御信号を送るメイン制御部である。１０４は、メイン制御部１０２からの指示に従い、ミラーボックス２１０に導かれた光束を撮像素子１０５で撮像し、画像データとして取り込む撮像部である。１０６は、メイン制御部１０２からの指示に従い、撮像部１０４で撮像された画像データに所定の画素補間処理、縮小処理、色変換処理及び圧縮伸長処理を行う画像処理部である。１０８は、メイン制御部１０２からの指示に従い、液晶モニタ２３２への表示を制御する表示制御部である。１１０は、操作部１１１及びセンサからの入力をメイン制御部１０２に通知し、メイン制御部１０２からの指示に従い各釦、ダイヤル及びセンサの状態を制御する操作制御部である。操作部１１１は、シャッタ釦２１６、設定釦２３８〜２５４を含む各釦及びダイヤルを含む。１１２は、撮像及び画像処理が完了した画像データを記録する着脱可能記憶装置である。
【００２３】
１１４は、画像データを処理するための一時メモリであり、メイン制御部１０２によって実行されるプログラムを配置するための一時メモリとしても使用される。１１６は、メイン制御部１０２によって実行されるプログラムを格納する不揮発性記憶装置である。１１８は、ファインダ接眼窓２３０に配置される表示装置１２０に情報を表示させるファインダ表示制御部である。１２２は、レンズマウント２０４によって接続される撮影レンズユニットを制御するレンズ制御部である。１２４は、ＵＳＢによって外部と通信する通信部である。１２６は、フォーカルプレーンシャッタ１２８及びメインミラー２１２の駆動を制御する撮像系制御部である。
【００２４】
本実施例の光学系を説明する。図４は、本実施例の光学系であって、被写体からの光束の光路を示す模式図である。ミラーボックス２１０内のメインミラー２１２は、レンズユニット４００によって導かれた被写体からの光束の一部をペンタプリズム４０２に向けて反射し、残りを透過する。ペンタプリズム４０２は、メインミラー２１２からの光束を反射して、光学ファインダ４０４に向ける。光学ファインダ４０４の下部には、情報を表示する表示装置１２０が配置される。表示装置１２０は、光学ファインダ４０４の接眼窓内に配置される通知手段であり、撮影者が接眼窓を覗いたときに視認可能である。
【００２５】
メインミラー２１２を透過した光束は、フォーカルプレーンシャッタ１２８が開放されているときに、光学フィルタ４０６を通過して、撮像素子１０５に入射する。撮像素子１０５は入射した光束をその強さに応じた電荷量の画像信号に変換する。フォーカルプレーンシャッタ１２８等の機械式シャッタの代わりに、撮像素子１０５の電荷を制御する電子シャッタを使用することもできる。
【００２６】
図５は、本実施例の特徴的な動作のフローチャートを示す。図５に示すフローチャートを実現する制御プログラムが不揮発性記憶装置１１６に格納される。メイン制御部１０２が、所定の指示又は動作状態に従い不揮発性記憶装置１１６から当該制御プログラムをメモリ１１４に展開し実行することで、図５に示す動作が実現される。
【００２７】
ステップＳ１０１で、メイン制御部１０２は、操作制御部１１０から撮影モードダイヤル２２４の状態を取得することで、カメラの撮影モードが構図撮影モードであるかどうかを判断する。メイン制御部１０２は、構図撮影モードでないと判断した場合、通常撮影処理（Ｓ１０２）に移行する。一方、ステップＳ１０１で構図撮影モードだと判断した場合、メイン制御部１０２は、ステップＳ１０３で、レンズユニット４００から導かれる光束が撮像素子１０５に入射するように、撮像系制御部１２６を制御する。すなわち、撮像系制御部１２６は、メイン制御部１０２からの制御信号に従い、メインミラー２１２を退避位置（アップ位置）に駆動し、フォーカルプレーンシャッタ１２８を開放状態にする。これにより、レンズユニット４００を透過した光束が撮像素子１０５に入射する。撮像素子１０５を含む撮像部１０４から出力される画像データは、メモリ１１４に取り込まれ、液晶モニタ２３２に表示する大きさに画像処理部１０６によって処理される。表示制御部１０８は、画像処理部１０６により処理された画像データに応じた画像を液晶モニタ２３２に表示させる。
【００２８】
ステップＳ１０４で、メイン制御部１０２は、構図を決定するための構図補助情報を生成し、表示制御部１０８を制御して液晶モニタ２３２に表示させる。構図補助情報とは、液晶モニタ２３２上に撮影者に好適な構図を指示するための情報である。本実施例では、撮影対象となりうる種々の風景に対応する構図補助情報が不揮発性記憶装置１１６に予め記憶されている。
【００２９】
例えば、図６に示すような風景を撮影しようとしており、液晶モニタ２３２に画像表示されているとする。撮影者は、液晶モニタ２３２に表示される画像を観察し、不揮発性記憶装置１１６に記憶される構図補助情報から表示画像に適した構図補助情報を選択する。図７は、構図補助情報を選択する画面例を示す。撮影者が十字キー／セット釦２４２のセット釦を押すと、操作制御部１１０は割込通知信号をメイン制御部１０２に供給する。メイン制御部１０２は、この割込通知信号に応じて、表示制御部１０８を制御して、液晶モニタ２３２に表示される被写体画像に重畳して、簡単設定メニュー画面７００を表示させる。
【００３０】
簡易設定メニュー７００において、７０２はオートフォーカスモード設定を示す。７０４は撮影色処理モード設定を示す。７０６は、ホワイトバランスモード設定を示す。７０８は撮影ドライブモード設定を示す。７１０は、画質／サイズ設定を示す。７１２は構図補助情報設定を示す。撮影者が十字キー／セット釦２４２の十字キーを操作すると、操作制御部１１０は割込通知信号をメイン制御部１０２に供給する。メイン制御部１０２は、この割込通知信号に応じて、表示制御部１０８を制御して、何れかの設定７０２〜７１２を選択するための選択枠７１４を表示させる。
【００３１】
図７に示すように構図補助情報設定７１２に選択枠７１４がある場合、撮影者は、構図補助情報を設定できる状態にある。この状態で、メイン制御部１０２は、表示制御部１０８を制御して構図補助線７１６を液晶モニタ２３２に表示させる。図７に示す構図補助線７１６の態様又は形状は一例である。この状態で、撮影者がメイン電子ダイヤル２１８を操作すると、操作制御部１１０は割込通知信号をメイン制御部１０２に供給する。メイン制御部１０２は、この割込通知信号に応じて、液晶モニタ２３２に表示される構図補助線７１６の態様を変更する。具体的には、メイン制御部１０２は、操作制御部１１０から構図補助線変更の割込通信信号が入力する都度、不揮発性記憶装置１１６に記録されている別の構図補助線データを読み出し、読み出した構図補助線データに応じた態様の構図補助線７１６を表示する。撮影者は、この操作により、被写体に合致する態様の構図補助線を選択できる。
【００３２】
撮影者は、表示されている構図補助線に従い、カメラの撮影方向と画角を修正して好適な構図を決定し、その状態で構図確定釦を押下する（Ｓ１０５）。図８は、最終的に撮影者が決定した構図補助線に従い構図を修正した後の、液晶モニタ２３２の表示画像例を示す。具体的には、ステップＳ１０５で、メイン制御部１０２は、構図確定釦が押下されたかどうかを判断する。本実施例では、構図撮影モードにおけるシャッタ釦２１６の半押し状態を構図確定釦の押下操作とする。周知の通り、操作制御部１１０は、シャッタ釦２１６の半押しと全押しを識別でき、それぞれに応じた割込通知信号をメイン制御部１０２に供給する。メイン制御部１０２は、割込通知信号の内容によりシャッタ釦２１６が半押しか全押しかを判別できる。
【００３３】
ステップＳ１０６で、メイン制御部１０２は、構図確定釦押下時の撮影範囲を特定する確定構図参照用画像をメモリ１１４に一時記憶する。具体的には、メイン制御部１０２は、構図確定釦押下時の撮像部１０４からの画像データを取り込み、画像処理部１０６に画面中央領域９０２（図９）をクリッピングさせ、アスペクト比を保持したままサイズを縮小させる。メイン制御部１０２はこのようにクリッピング及び縮小された画像データを確定構図参照用画像データとしてメモリ１１４に格納する。例えば、縦２４０画素、横３２０画素程度のサイズに縮小する。
【００３４】
ステップＳ１０７で、メイン制御部１０２は、撮像系制御部１２６により、メインミラー２１２を、レンズユニット４００からの入射光の一部をペンタプリズム４０２に反射する撮影待機位置（ダウン位置）に駆動する。これにより、撮影者は、光学ファインダ接眼窓２３０で撮影範囲を視覚的に確認できる。一方、このとき、フォーカルプレーンシャッタ１２８が閉じていないので、メインミラー２１２を透過する光束は、撮像素子１０５に入射している。
【００３５】
図１０は、ファインダ接眼窓２３０で表示装置１２０により表示される情報例を示す。光学ファインダ４０４の接眼窓２３０では、表示装置１２０が、シャッタ速度１００２、絞り数値１００４、露出レベル１００６及びＩＳＯ感度１００８を表示する。メインミラー２１２がアップ位置にあるときは、表示装置１２０はこれらの表示を行わず、また、被写体からの光束は全て撮像素子１０５に入射するので、撮影者は光学ファインダ４０４では撮影範囲又は構図を確認できない。他方、メインミラー２１２がダウン位置にあるときには、図１１に示すように、表示装置１２０が現在のシャッタ速度等を表示し、撮影者は光学ファインダ４０４で被写体と構図を確認できる。すなわち、ステップＳ１０７の処理が完了すると、撮影者は、ファインダ接眼窓２３０から光学ファインダ４０４を覗き見ることで、図１１に示すように被写体と構図を視覚的に確認できる。
【００３６】
図５に戻り、ステップＳ１０８で、メイン制御部１０２は、３３ｍｓｅｃ周期で撮像素子１０５から画像信号を読み出し、画像処理部１０６に撮像部１０４の出力画像データを所定の処理を施させ、メモリ１１４に格納させる。
【００３７】
ステップＳ１０９で、メイン制御部１０２は、ステップＳ１０６で記憶した確定構図参照用画像とステップＳ１０８によって撮像された画像を比較する。具体的には、メイン制御部１０２は、メモリ１１４の撮像画像の画面中央部分１２０２（図１２）をクリッピングする。次に、メイン制御部１０２は、クリッピングした画像と、ステップＳ１０６でメモリ１１４に格納された確定構図参照用画像９０２とをパターンマッチングにより比較する。例えば、メイン制御部１０２は、両画像の対応した位置にある画素の差分を計算し、その差分値の総和を計算する。
【００３８】
ステップＳ１１０で、メイン制御部１０２は、ステップＳ１０９の比較結果をもとに構図が一致しているかどうかを判定する。例えば、メイン制御部１０２は、ステップＳ１０９で得られた差分総和が所定の閾値より低い場合には、構図が一致していると判定し、そうでない場合には、不一致と判定する。
【００３９】
構図不一致の場合（Ｓ１１０）、ステップＳ１１１で、メイン制御部１０２は、クリッピングした画像１２０２と確定構図参照用画像９０２を相対的に横にずらしながら各画素の差分を計算することで、構図ズレ量を計算する。図１３は、クリッピング画像１２０２と確定構図参照用画像９０２を互いにずらしながら差分計算する様子を示す。ここで、差分を計算する領域は、クリッピング画像１２０２と確定構図参照用画像９０２が重なる領域１３０２である。メイン制御部１０２は、領域１３０２の各画素の差分値の総和が所定の閾値以下であれば、画像が一致したと判定する。この一致したときの、確定構図参照用画像９０２に対するクリッピング画像１２０２のずれ量が構図ずれ量となる。構図ずれ量は、例えば、一致している場合を（０，０）とし、クリッピング画像１２０２のずれが右方向と上方向を正方向とし、左右方向のずれ量と上下方向のずれ量を（左右ずれ量、上下ずれ量）で表現する。メイン制御部１０２は、算出された構図ずれ量をメモリ１１４に格納する。図１３に示す例では、構図ズレ量は（３０、３０）である。
【００４０】
ステップＳ１１２で、メイン制御部１０２は、ステップＳ１１１で計算された構図ズレ量をもとに、ステップＳ１０５で確定した構図に対して、現在の構図がずれていることを撮影者に提示する。具体的には、メイン制御部１０２は、ファインダ表示制御部１１８により、構図がずれていることを示す情報１４０２（図１４）を表示装置１２０に表示させる。たとえば、図１３に例示するように現在の構図が目標とする構図に対して右上にずれている場合には、左下方向にカメラの向きをずらすような指示を情報１４０２として表示する。
【００４１】
上記の動作を繰り返した結果、ステップＳ１１０で、メイン制御部１０２は、構図が一致したと判定すると、ステップＳ１１３に遷移する。ステップＳ１１３で、メイン制御部１０２は、図１５に示すように、構図が一致したことを示す情報１５０２を、ファインダ表示制御部１１８により表示装置１２０に表示させる。
【００４２】
ステップＳ１１４で、メイン制御部１０２は、次の３３ｍｓｅｃの撮像周期内に撮影者によるシャッタ釦２１６の全押しを操作制御部１１０からの入力によって判定する。シャッタ釦２１６が全押しされなければ（Ｓ１１４）、メイン制御部１０２は、ステップＳ１０８に遷移し、確定構図参照用画像との比較を繰り返す。
【００４３】
ステップＳ１１４で、メイン制御部１０２はシャッタ釦２１６が全押しされたと判定すると、ステップＳ１１５で通常の撮影処理を実行する。具体的には、メイン制御部１０２は、撮像素子１０５に入射している画像によりコントラストＡＦ方式によってレンズユニット４００と通信を行いながらＡＦ制御を行う。メイン制御部１０２はフォーカルプレーンシャッタ１２８を閉じる。メイン制御部１０２は、メインミラー２１２を撮像系制御部１２６によって駆動し、再度、フォーカルプレーンシャッタ１２８を開放することで、撮像素子１０５を被写体の光学像で露光する。メイン制御部１０２は、メインミラー２１２を撮像系制御部１２６によって駆動し、再度、フォーカルプレーンシャッタ１２８を閉じることで、撮像素子１０５への入射光を遮断する。メイン制御部１０２は、撮像素子１０５への被写体光学像の入射による画像信号を読み出し、画像処理部１０６によって所定の画像処理を行う。メイン制御部１０２は、画像処理部１０６により画像処理された画像データを着脱可能記憶装置１１２に記録する。
【００４４】
図５に示すフローチャートでは、現在の構図での撮像画像が確定構図参照用画像と一致する場合に撮影処理（Ｓ１１５）を実行できるようにしている。しかし、構図確定（Ｓ１０５）の後のどのタイミングでも、シャッタ釦２１６の全押しで撮影処理（Ｓ１１５）を実行するようにしてもよい。
【実施例２】
【００４５】
図１６は、構図撮影モードの別の動作フローチャートを示す。図１６に示すフローチャートを実現する制御プログラムが不揮発性記憶装置１１６に格納される。メイン制御部１０２が、所定の指示又は動作状態に従い不揮発性記憶装置１１６から当該制御プログラムをメモリ１１４に展開し実行することで、図１６に示す動作が実現される。ステップＳ１６０１〜Ｓ１６０３の処理は、図５のステップＳ１０１〜Ｓ１０３の処理と同じであるので、詳細な説明を省略する。
【００４６】
ステップＳ１６０４で、メイン制御部１０２は、撮像素子１０５による撮像画像の中央部分を図１７に示すようにトリミングした画像を表示制御部１０８により液晶モニタ２３２に表示する。図１７で、符号１７０２は撮像素子１０５による撮影画像の全体を示し、１７０４はトリミング範囲又はトリミングした画像を示す。トリミング範囲１７０４の画像が、液晶モニタ２３２に表示される。図５のステップＳ１０４と同様に、メイン制御部１０２は、不揮発性記憶装置１１６から構図補助線データを読み出し、その構図補助線データに従い液晶モニタ２３２の構図補助線を重畳表示する。この状態で、撮影者は、構図を選択し、ステップＳ１６０５において確定する。
【００４７】
ステップＳ１６０５〜Ｓ１６０７の処理はそれぞれ、図５のステップＳ１０５〜Ｓ１０７の処理と同じである。ただし、ステップＳ１６０６で、メイン制御部１０２は、構図確定操作に応じて、その時点の撮像画像のトリミング範囲１７０４の画像を確定構図参照用画像としてメモリ１１４に格納する。
【００４８】
ステップＳ１６０８で、メイン制御部１０２は、シャッタ釦２１６が全押しされたかどうかを操作制御部１１０からの割込通知信号により判断する。全押しと判断された場合、メイン制御部１０２は、ステップＳ１６０９に遷移する。
【００４９】
ステップＳ１６０９で、メイン制御部１０２は撮影処理を行う。具体的には、メイン制御部１０２は、撮像素子１０５で光電変換された画像信号を取り込み、画像処理部１０６によって所定の画像処理を行い、メモリ１１４に格納する。このときにメモリ１１４に格納される画像は、撮像素子１０５による撮像画像の全体である。
【００５０】
ステップＳ１６１０の処理はステップＳ１１１の処理と同じである、ステップＳ１６１１で、メイン制御部１０２は、撮影処理（Ｓ１６０９）の時点の構図がステップＳ１６０６で確定した構図に対してどれだけずれているかを計算する。
【００５１】
図１８を参照して現時点の構図での画像と確定構図参照用画像とのずれ量の計算を説明する。図１８で、１８０２は、撮像素子１０５により撮像された画像の全体、即ち、ステップＳ１６０９でメモリ１１４に取り込まれた現在の構図での画像を示す。１８０８が、ステップＳ１６０６で保存された確定構図参照用画像と一致する画像部分であり、１８１０が、現在の構図での、トリミング範囲１７０４に相当する範囲を示す。図１８に示す例では、メイン制御部１０２は、ステップＳ１６０６で確定した構図位置に対しての横方向のずれ量１８０４と縦方向のずれ量１８０６を、ステップＳ１１１と同様の方法で計算する。
【００５２】
ステップＳ１６１２で、メイン制御部１０２は、ステップＳ１６０９で撮影された画像のトリミング範囲１８１０内の画像と、ステップＳ１６０６でメモリ１１４に保存した確定構図参照用画像１７０４との一致度を判断する。具体的には、メイン制御部１０２は、横方向のずれ１８０４と縦方向のずれ１８０６が所定値より小さければ、構図が一致していると判断して、ステップＳ１６１３に遷移する。何れかが所定値以上であれば、メイン制御部１０２は、不一致と判断してステップＳ１６１４に遷移する。
【００５３】
ステップＳ１６１３で、メイン制御部１０２は、ステップＳ１６０９でメモリ１１４に格納した撮像画像に画像処理部１０６によって圧縮処理を行い、圧縮画像データを着脱可能記憶装置１１２に記録する。これで、構図撮影モードでの撮影を終了する。
【００５４】
ステップＳ１６１４で、メイン制御部１０２は、ステップＳ１６０９で取り込んだ撮像画像から、ステップＳ１６０６で決定した確定構図参照用画像１７０４に相当する画像部分がトリミング可能かどうかを判断する。換言すると、メイン制御部１０２は、ステップＳ１６０９で取り込んだ撮像画像の中に、ステップＳ１６０６で決定した確定構図参照用画像１７０４に相当する画像部分１８０８が全体的に完全に含まれるか否かを判断する。図１８に示す例では、撮像画像１８０２の中に、確定構図参照用画像１７０４が完全に含まれるので、メイン制御部１０２は、トリミング可能と判断する。トリミング可能な場合（Ｓ１６１４）、メイン制御部１０２は、ステップＳ１６１５で、撮像画像１８０２から領域１８０８の画像を画像処理部１０６によってトリミングし、撮像画像１８０２のサイズに拡大してから圧縮する。ステップＳ１６１６で、メイン制御部１０２は、得られた圧縮画像データを着脱可能記憶装置１１２に記録する。
【００５５】
図１９に示すように、撮像画像１９０２内から確定構図参照用画像１７０４の一部が外れる場合、ステップＳ１６１４で、メイン制御部１０２は、トリミング不可能と判断する。トリミング不可能な場合（Ｓ１６１４）、メイン制御部１０２は、ステップＳ１６１３に遷移する。ステップＳ１６１３で、メイン制御部１０２は、ステップＳ１６０９でメモリ１１４に格納した撮像画像データに画像処理部１０６によって圧縮処理を行い、圧縮画像データを着脱可能記憶装置１１２に記録する。
【００５６】
図１６に示す構図撮影モードの動作によれば、撮影者は、構図のずれを意識することなく、可能な限り希望の構図に合致した撮影を行えるようになり、そのための手間が軽減される。
【００５７】
光学ファインダを有する一眼レフカメラの場合に適用した実施例を説明したが、光学ファインダの代わりに電子ビューファインダであっても良い。
【００５８】
メイン制御部１０２は、単一のハードウエアで実現しても、複数のハードウエアが協調動作することで実現しても、どちらでも良い。
【００５９】
本発明をその好適な実施例に基づいて説明したが、上述した実施例は本発明の説明用の一実施例であり、本発明はこれら特定の実施例に限定されず、本発明の要旨を逸脱しない範囲の様々な形態も本発明に含まれる。
【００６０】
いうまでもないが、撮像装置としての機能を有する如何なる装置も、特許請求の範囲に記載される要件を充足する限り、本発明の技術的範囲に属するものである。例えば、撮影機能付きの携帯端末が、相当する。また、撮像機能付きのパーソナルコンピュータやＰＤＡ、携帯電話端末や携帯型の画像ビューワ、ディスプレイを備えるプリンタ装置、デジタルフォトフレーム、音楽プレーヤー、ゲーム機、電子ブックリーダーなどに適用可能である。
【００６１】
本発明は、以下の処理を実行することによっても実現される。即ち、上述した実施形態の機能を実現するソフトウェア（プログラム）をネットワーク又は各種記録媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記録媒体は本発明を構成することになる。
【図１】
2013162364.tif 000003
【図２】
2013162364.tif 000004
【図３】
2013162364.tif 000005
【図４】
2013162364.tif 000006
【図５】
2013162364.tif 000007
【図６】
2013162364.tif 000008
【図７】
2013162364.tif 000009
【図８】
2013162364.tif 000010
【図９】
2013162364.tif 000011
【図１０】
2013162364.tif 000012
【図１１】
2013162364.tif 000013
【図１２】
2013162364.tif 000014
【図１３】
2013162364.tif 000015
【図１４】
2013162364.tif 000016
【図１５】
2013162364.tif 000017
【図１６】
2013162364.tif 000018
【図１７】
2013162364.tif 000019
【図１８】
2013162364.tif 000020
【図１９】
2013162364.tif 000021
【図２０】
2013162364.tif 000022
【図２１】
2013162364.tif 000023